(57)【要約】【課題】ユーザの利便性を損なわずに、電力消費量を低減可能にした電子機器を提供する。【解決手段】ユーザが指示を入力するための操作用画像を表示する複数の表示部と、複数の表示部に対応して設けられ、操作用画像に対する操作を検出する複数の操作部と、複数の表示部および複数の操作部への電力供給を制御する電源制御部と、電源制御部に対して、複数の操作部のうち、少なくとも１つの操作部への電力供給を停止させ、電力供給が停止された操作部に対応する表示部に表示されていた操作用画像をその表示部とは異なる他の表示部に表示させる制御部と、を有する。【選択図】図１
2014021534.tif 000002
【特許請求の範囲】
【請求項１】
ユーザが指示を入力するための操作用画像を表示する複数の表示部と、
前記複数の表示部に対応して設けられ、前記操作用画像に対する操作を検出する複数の操作部と、
前記複数の表示部および前記複数の操作部への電力供給を制御する電源制御部と、
前記電源制御部に対して、前記複数の操作部のうち、少なくとも１つの操作部への電力供給を停止させ、電力供給が停止された操作部に対応する表示部に表示されていた前記操作用画像を該表示部とは異なる他の表示部に表示させる制御部と、
を有する電子機器。
【請求項２】
請求項１記載の電子機器において、
前記制御部は、
前記電源制御部に対して、前記電力供給が停止された操作部に対応する表示部への電力供給を停止させ、該表示部に表示されていた画像を該表示部とは異なる他の表示部に表示させる、電子機器。
【請求項３】
請求項２記載の電子機器において、
前記複数の表示部および前記複数の操作部に電力を供給する電池をさらに有し、
前記制御部は、
前記電池の残量が予め決められた第１の閾値以下になると、前記少なくとも１つの操作部への電力供給を前記電源制御部に停止させ、前記電池の残量が前記第１の閾値よりも小さい第２の閾値以下になると、前記電力供給が停止された操作部に対応する表示部への電力供給を前記電源制御部に停止させる、電子機器。
【請求項４】
請求項１から３のいずれか１項記載の電子機器において、
前記制御部は、
前記電力供給が停止された操作部に対応する表示部に表示されていた前記操作用画像を該表示部とは異なる他の表示部に表示させる際、これらの表示部に表示されていた、前記操作用画像を含む画像のうち、少なくとも１つの画像を縮小して表示させる、電子機器。
【請求項５】
請求項１から３のいずれか１項記載の電子機器において、
前記制御部は、
前記電力供給が停止された操作部に対応する表示部に表示されていた前記操作用画像を該表示部とは異なる他の表示部に表示させる際、これらの表示部に表示されていた操作用画像に対して、該他の表示部に表示させる範囲を上下方向および左右方向のうち、少なくともいずれかの方向に変更可能にすることで該操作用画像の全体を表示可能にする、電子機器。
【請求項６】
複数の表示部と、該複数の表示部に対応する複数の操作部とを有する電子機器の電力制御方法であって、
前記複数の表示部にユーザが指示を入力するための操作用画像を表示させ、
前記複数の操作部のうち、少なくとも１つの操作部への電力供給を停止し、
電力供給が停止された操作部に対応する表示部に表示されていた前記操作用画像を該表示部とは異なる他の表示部に表示させる、電力制御方法。
【請求項７】
複数の表示部と、該複数の表示部に対応する複数の操作部とを有するコンピュータに、
前記複数の表示部にユーザが指示を入力するための操作用画像を表示させる手順と、
前記複数の操作部のうち、少なくとも１つの操作部への電力供給を停止する手順と、
電力供給が停止された操作部に対応する表示部に表示されていた前記操作用画像を該表示部とは異なる他の表示部に表示させる手順を前記コンピュータに実行させるためのプログラム。
【発明の詳細な説明】
【技術分野】
【０００１】
本発明は、複数の表示部を有する電子機器、電力制御方法、およびコンピュータに実行させるためのプログラムに関する。
【背景技術】
【０００２】
２つ以上の表示部を備えた電子機器が普及するようになった。このような電子機器では、表示部で消費される電力は表示部が１つの場合よりも大きくなってしまうという欠点がある。
【０００３】
特に、電子機器が電子ブックおよび携帯型ゲーム機を含む携帯端末の場合、外部から電力の供給を受けていないと、電池から供給される電力で動作しなければならない。２つの表示部を備えた携帯端末では１つの表示部に比べて電池の消耗が激しく、ユーザが携帯端末を使用できる時間が短くなってしまう。この問題に対して、表示部のバックライトの輝度を下げることで、電力消費量を抑制して省電力化を図ることが考えられている。
【０００４】
バックライトの輝度を下げると、画面の見易さに影響を及ぼし、画面に表示された画像がユーザに見えにくくなってしまうという別の問題が発生してしまう。
【０００５】
２つの表示部を備えた電子機器ではないが、１つの表示部の表示領域を分割し、分割した領域毎に電源のオン／オフを制御することで、電力消費量を抑制可能にした方法が特許文献１に開示されている。
【０００６】
特許文献１に開示された画像形成装置は、表示領域の一部の領域の電源をオンにし、他の領域の電源をオフにすることを可能にした液晶パネルと、液晶パネルの上に重ね合わせられ、液晶パネルとは別に電源のオン、オフを可能にしたタッチパネルとを有する構成である。
【０００７】
この画像形成装置では、液晶パネルに表示させたい必要最低限の情報をユーザが予め画像形成装置に設定し、ユーザが第２の省電力モードを選択すると、液晶パネルの一部の領域の電源をオンにしてユーザが設定した情報を表示させ、液晶パネルの他の領域とタッチパネルの電源をオフにする。このようにして、省電力化を図るとともに、ユーザは必要最低限の情報を液晶パネルの一部の領域で確認することが可能となる。
【先行技術文献】
【特許文献】
【０００８】
【特許文献１】特開２００７−６５０５０号公報
【発明の概要】
【発明が解決しようとする課題】
【０００９】
特許文献１に開示された方法を２つの表示部を有する電子機器に適用する場合、２つの表示部のうち、一方の表示部の電源をオンにし、他の表示部の電源をオフにするように電子機器を制御させることが考えられる。ユーザは、電源をオンにする側の表示部に表示させる画像を予め電子機器に設定しておく必要がある。
【００１０】
電子機器が複数種のアプリケーションソフトウェアプログラム（以下では、アプリケーションと称する）を実行可能な装置である場合、ユーザはアプリケーション毎に表示させる画像を予め設定しなければならず、手間がかかるという問題があった。省電力化を図ることができても、ユーザの利便性が大幅に損なわれてしまうことになる。
【００１１】
本発明は上述したような技術が有する問題点を解決するためになされたものであり、ユーザの利便性を損なわずに、電力消費量を低減可能にした電子機器、電力制御方法、およびコンピュータに実行させるためのプログラムを提供することを目的とする。
【課題を解決するための手段】
【００１２】
上記目的を達成するための本発明の電子機器は、
ユーザが指示を入力するための操作用画像を表示する複数の表示部と、
前記複数の表示部に対応して設けられ、前記操作用画像に対する操作を検出する複数の操作部と、
前記複数の表示部および前記複数の操作部への電力供給を制御する電源制御部と、
前記電源制御部に対して、前記複数の操作部のうち、少なくとも１つの操作部への電力供給を停止させ、電力供給が停止された操作部に対応する表示部に表示されていた前記操作用画像を該表示部とは異なる他の表示部に表示させる制御部と、
を有する構成である。
【００１３】
また、本発明の電力制御方法は、複数の表示部と、該複数の表示部に対応する複数の操作部とを有する電子機器の電力制御方法であって、
前記複数の表示部にユーザが指示を入力するための操作用画像を表示させ、
前記複数の操作部のうち、少なくとも１つの操作部への電力供給を停止し、
電力供給が停止された操作部に対応する表示部に表示されていた前記操作用画像を該表示部とは異なる他の表示部に表示させるものである。
【００１４】
さらに、本発明のプログラムは、複数の表示部と、該複数の表示部に対応する複数の操作部とを有するコンピュータに、
前記複数の表示部にユーザが指示を入力するための操作用画像を表示させる手順と、
前記複数の操作部のうち、少なくとも１つの操作部への電力供給を停止する手順と、
電力供給が停止された操作部に対応する表示部に表示されていた前記操作用画像を該表示部とは異なる他の表示部に表示させる手順を前記コンピュータに実行させるものである。
【発明の効果】
【００１５】
本発明によれば、ユーザの利便性を損なわずに、電力消費量を低減し、省電力化を図ることができる。
【図面の簡単な説明】
【００１６】
【図１】本発明の一実施形態の電子機器の一構成例を示すブロック図である。
【図２】図１に示した電子機器が携帯端末の場合の外観を示す斜視図である。
【図３】図２に示した携帯端末の一構成例を示すブロック図である。
【図４】表示部に表示される画像とタッチパネルの座標との対応関係を説明するための模式図である。
【図５】動作モードの切り替え方法の一例を説明するための図である。
【図６】本実施形態の携帯端末の動作手順を示すフローチャートである。
【図７】図６のステップ１０３および１０７における処理の具体例を示すフローチャートである。
【図８】図６に示すステップ１０３の前後の携帯端末の状態を説明するための外観図である。
【図９Ａ】画像の集約方法として、図８に示す方法とは異なる方法の一例を説明するための図である。
【図９Ｂ】画像の集約方法として、図８に示す方法とは異なる方法の一例を説明するための図である。
【図１０】図６に示すステップ１０７の前後の携帯端末の状態を説明するための外観図である。
【図１１】図１０に示したスクロール画像の全体を示す図である。
【図１２】表示部およびタッチパネルの組み合わせの数が３つの場合の携帯端末の一例を示す外観斜視図である。
【図１３Ａ】図１２に示した携帯端末の動作を説明するための外観斜視図である。
【図１３Ｂ】図１２に示した携帯端末の動作を説明するための外観斜視図である。
【発明を実施するための形態】
【００１７】
本発明の一実施形態の電子機器の構成を説明する。図１は本発明の一実施形態の電子機器の一構成例を示すブロック図である。ｎは２以上の整数とする。
【００１８】
電子機器１は、表示部２−１〜２−ｎと、表示部２−１〜２−ｎに対応して設けられた操作部３−１〜３−ｎと、表示部２−１〜２−ｎおよび操作部３−１〜３―ｎへの電力供給を制御する電源制御部４と、各部を制御する制御部５とを有する。表示部２−１〜２−ｎおよび操作部３−１〜３―ｎに供給するための電力は、外部から供給されてもよく、電子機器１に予め設けられた電池から供給されてもよい。
【００１９】
表示部２−１〜２−ｎはユーザが指示を入力するための操作用画像を表示する。操作部３−１〜３−ｎは操作用画像に対する操作を検出する。
【００２０】
制御部５は、操作部３−１〜３−ｎのうち、少なくとも１つの操作部への電力供給を停止させる。ここで、電力供給が停止される操作部を操作部３−１とすると、制御部５は、電力供給が停止された操作部３−１に対応する表示部２−１に表示されていた操作用画像を、表示部２−１とは異なる他の表示部に表示させる。ここでは、制御部５は、表示部２−１に表示されていた画像を表示部２−ｎに表示させたものとする。
【００２１】
本実施形態の電子機器１では、操作部３−１〜３−ｎのうち、少なくとも１つの操作部３−１を介してユーザが指示を入力するための操作用画像を、その操作部３−１に対応する表示部２−１とは異なる他の表示部２−ｎに表示させ、操作部３−１の電源をオフにする。電子機器１が操作部３−１の電源をオフにすると、操作部３−１〜３−ｎの全てに電力を供給する場合に比べて、電力消費量を低減することができる。また、ユーザは、表示部２−１に表示されていた操作用画像を、表示部２−ｎを見ながら操作部３−ｎを介して選択することが可能となり、利便性が損なわれることはない。
【００２２】
なお、本発明の電子機器は、スマートホンを含む携帯電話機、簡易型携帯電話（Personal Handy-phone System）、ＰＤＡ（Personal Digital Assistant）、電子ブック、携帯型ゲーム機、タブレットＰＣ（Personal Computer）、ノートＰＣなどの携帯端末であってもよいが、デスクトップ型ＰＣのように外部の交流電源から電力が供給される装置であってもよい。
以下では、本発明の電子機器の一実施形態が携帯端末の場合で説明する。
【００２３】
本実施形態の携帯端末の構成を説明する。本実施形態では、表示部および操作部の数がそれぞれ２つの場合で説明するが、表示部および操作部の数は３つ以上であってもよい。
【００２４】
図２は本実施形態の携帯端末の外観斜視図である。
【００２５】
図２に示すように、本実施形態の携帯端末１１は、筺体２５ａおよび筺体２５ｂと、これらの筺体２５ａ、２５ｂを接続するヒンジ２７とを有する。ユーザが携帯端末１１を手で持ち、２つの筺体のうち、一方の筺体を保持したまま、他方の筺体をヒンジ２７を軸にして回転させることで、携帯端末１１を折り畳んだり、携帯端末１１を開いたりすることができる。図２はユーザが携帯端末１１を開いた状態を示す。
【００２６】
図２に示す例では、表示部１２ａが筺体２５ａに設けられ、表示部１２ｂが筺体２５ｂに設けられている。表示部１２ａ、１２ｂの表面には、図１に示した操作部３ａ、３ｂに相当するタッチパネルが設けられている。
【００２７】
表示部１２ａは、ユーザが指示を入力するための画像である操作用画像と、ユーザに情報を提供するための画像である情報通知画像とを表示している。テレビ画像３５は情報通知画像の一例である。ボタン３１ａ、３１ｃは操作用画像の一例である。ボタン３１ａは、ユーザが視聴するテレビ番組のチャンネルを予め決められた順に変更するための操作用画像である。「モード切替」を表示するボタン３１ｃは、ユーザが携帯端末１１の動作モードを切り替えるための操作用画像である。動作モードについての詳しい説明は後で行う。
【００２８】
画像３２ａは情報通知画像の一例である。画像３２ａはボタン３１ａに関連する情報を表示している。画像３２ａは、ボタン３１ａがテレビ番組の「チャンネル」を変更するための操作用画像であることをユーザに通知する役目を果たす。
【００２９】
表示部１２ｂは、操作用画像の一例であるボタン３１ｂと、ボタン３１ｂに関連する情報通知画像の一例である画像３２ｂとを表示している。ボタン３１ｂは、ユーザがスピーカ（不図示）の音量を調節するための操作用画像である。画像３２ｂは、ボタン３１ｂがテレビ番組の音量を調節するための操作用画像であることをユーザに通知する役目を果たす。また、表示部１２ｂが表示する「１」〜「１２」の数字の画像も操作用画像に相当し、ユーザが視聴するテレビ番組を選択するためのボタンである。「１」〜「１２」の数字はテレビ番組のチャンネルに対応している。以下では、この数字のボタンを、チャンネルボタンと称する。また、本実施形態では、画像が操作用画像または情報通知画像の場合で説明するが、他の画像であってもよい。
【００３０】
図３は図２に示した携帯端末の一構成例を示すブロック図である。
【００３１】
図３に示すように、本実施形態の携帯端末１１は、表示部１２ａ、１２ｂと、表示部１２ａ、１２ｂに対応して設けられたタッチパネル１３ａ、１３ｂと、各部に電力を供給するための電池１７と、電池１７から各部への電力供給を制御する電源制御部１４と、アプリケーションを記憶する記憶部１６と、テレビ番組の電波を受信するための通信部１９と、音声を出力するためのスピーカ２０と、各部を制御する制御部１５とを有する。
【００３２】
電池１７は、充電のできない一次電池であってもよく、放電と充電を繰り返し可能な二次電池であってもよい。
【００３３】
表示部１２ａ、１２ｂは、ＬＣＤ（Liquid Crystal Display）および有機ＥＬ（electroluminescence）ディスプレイ等のデバイスである。本実施形態では、ユーザが指示を入力するための操作部がタッチパネル１３ａ、１３ｂの場合で説明するが、操作部は、タッチパネルに限らず、タッチセンサおよびタッチパッド等の他のデバイスであってもよい。操作部３ａ、３ｂがタッチセンサの場合、ユーザの指およびペン等の操作物の接触を検出する接触検出型に限らず、操作物の接近を検出する近接検出型であってもよい。以下では、タッチパネル１３ａ、１３ｂに触れる操作物がユーザの指の場合で説明する。
【００３４】
図２を参照して説明したように、表示部１２ａの上にタッチパネル１３ａが配置され、表示部１２ｂの上にタッチパネル１３ｂが配置されている。タッチパネル１３ａ、１３ｂはセンサが表面に設けられた透明基板で構成されている。タッチパネル１３ａ、１３ｂが透明基板であるため、ユーザは、タッチパネル１３ａ、１３ｂよりも下層側に設けられた表示部１２ａ、１２ｂに表示される画像を、タッチパネル１３ａ、１３ｂを通して見ることができる。
【００３５】
ここで、ユーザがボタンを選択する操作を行ったとき、選択されたボタンの情報がどのようにして制御部１５に通知されるかを説明する。
【００３６】
なお、表示部１２ａに対するタッチパネル１３ａの操作と、表示部１２ｂに対するタッチパネル１３ｂの操作とは同等であるため、ユーザが表示部１２ａの画像に対してタッチパネル１３ａを操作する場合で説明する。
【００３７】
図４は表示部に表示される画像とタッチパネルの座標との対応関係を説明するための模式図である。図４では、説明のために、タッチパネル１３ａを表示部１２ａから離した状態を示す。
【００３８】
タッチパネル１３ａには、表示部１２ａの画面サイズに対応する２次元座標が予め設定されている。ユーザが図４に示す表示部１２ａのボタン３１ａを選択する操作を行うために、ボタン３１ａを指で触れようとすると、指が図４に示す黒丸印の位置でタッチパネル１３ａに接触する。タッチパネル１３ａは、ユーザの指の接触を検出すると、黒丸印の位置の座標（ｘ１、ｙ１）の情報を制御部１５に送信する。制御部１５は、タッチパネル１３ａから座標の情報を受信すると、その座標に対応する、表示部１２ａに表示されているボタン３１ａを特定することが可能となる。
【００３９】
電源制御部１４は、電池１７から各部に電力を供給している間、電池１７の残量を定期的に制御部１５に通知する。電源制御部１４は、制御部１５からの指示にしたがって、電池１７から表示部１２ａ、１２ｂおよびタッチパネル１３ａ、１３ｂのそれぞれに対して電力を供給するか否かの制御を行う。
【００４０】
本実施形態では、本発明に関連する、表示部およびタッチパネルへの電力制御方法を詳しく説明するために、制御部１５、記憶部１６および通信部１９への電力供給に関する詳細な説明、および図に示すことを省略する。
【００４１】
また、本実施形態では、外部から電力が供給される場合についての詳細な説明を省略するが、外部の交流電源と接続される整流回路が携帯端末１１に設けられていてもよい。この構成の場合、整流回路は外部の交流電源から供給される電圧を交流から直流に変換して電源制御部１４に出力する。電源制御部１４は、変換後の直流電源の電力を各部に供給し、電池１７が二次電池であれば、電池１７を充電する。
【００４２】
通信部１９は、テレビ番組の電波を受信するためのテレビチューナ（不図示）を有する。通信部１９は、制御部１５から起動する旨の指示が入力されると、受信した電波に基づいてテレビ画像と音声を再生し、再生したテレビ画像と音声のデータを制御部１５に送信する。
【００４３】
記憶部１６には、ユーザがテレビ番組を視聴するためのアプリケーションであるテレビ用アプリケーションが記憶部１６に予め格納されている。テレビ用アプリケーションだけでなく、他のアプリケーションが記憶部１６に格納されていてもよい。
【００４４】
制御部１５は、プログラムにしたがって処理を実行するＣＰＵ（Central Processing Unit）（不図示）と、プログラムを記憶するメモリ（不図示）とを有する。プログラムには、携帯端末１１の動作モードに対応する動作手順と、動作モード切り替えの判定基準となる閾値ＴＨ１、ＴＨ２の情報が予め登録されている。閾値ＴＨ１、ＴＨ２は制御部１５が電池１７の残量が十分であるか否かを判定するために用いられ、「閾値ＴＨ１＞閾値ＴＨ２」の関係になっている。本実施形態では、制御部１５は電池１７の残量がどのくらいあるかを電池１７の電圧値で判定するものとし、閾値ＴＨ１、ＴＨ２の単位をボルトとする。
【００４５】
本実施形態では、携帯端末１１の動作モードとして、通常モード、省電力モード１、および省電力モード２の３種類があるものとする。省電力モード１は、タッチパネル１３ａ、１３ｂのうち、いずれか一方のタッチパネルへの電力供給を停止する動作モードである。省電力モード２は、省電力モード１で電力供給を停止したタッチパネルに対応する表示部への電力供給を停止する動作モードである。電力消費量の大きさの関係は、「通常モード＞省電力モード１＞省電力モード２」となる。
【００４６】
制御部１５は、タッチパネル１３ａ、１３ｂから座標の情報を受信すると、その座標に対応する、表示部１２ａ、１２ｂに表示されているボタンを特定し、特定したボタンに対応する処理を実行する。以下では、制御部１５がタッチパネル１３ａ、１３ｂから受信する座標の情報に基づいて特定するボタンを、ユーザが入力した指示の情報として説明する。
【００４７】
制御部１５は、ユーザが携帯端末１１の電源をオンにすると、または待機状態の後にユーザから再起動の指示があると、ユーザがアプリケーションの起動を指示するための操作用画像であるアイコン画像を、記憶部１６に格納されたアプリケーション毎に表示部１２ａまたは表示部１２ｂに表示させる。その際、制御部１５は、動作モードを切り替えるためのボタンを表示部１２ａまたは表示部１２ｂに表示させる。ユーザが携帯端末１１の電源をオンにした後の初期状態では、制御部１５は、動作モードを通常モードに設定する。
【００４８】
ここで、「携帯端末１１の待機状態の後にユーザから再起動の指示がある場合」の一例を説明する。筺体２５ａ、２５ｂに、携帯端末１１が開いているとオンになり、携帯端末１１が閉じているとオフになる開閉センサが予め設けられているとする。ユーザが携帯端末１１の電源をオンにした後、携帯端末１１を閉じることで開閉センサがオフになると、制御部１５は、電源制御部１４に対して自部を除く各部への電力供給を停止させる待機状態にする。その後、ユーザが携帯端末１１を開くことで開閉センサがオンになると、制御部１５は、ユーザが再起動の指示を入力したものと認識し、電源制御部１４に対して、停止していた各部への電力供給を再開させる。
【００４９】
制御部１５は、テレビ用アプリケーションを起動する旨の指示が入力されると、テレビ用アプリケーションを実行して通信部１９を起動し、通信部１９からテレビ画像および音声のデータを受信すると、予め決められたレイアウトにしたがってテレビ画像および各種ボタンを表示部１２ａ、１２ｂに表示させ、音声をスピーカ２０に出力させる。また、制御部１５は、電源制御部１４から定期的に通知される、電池１７の残量を監視し、電池１７の残量が閾値ＴＨ１以下になると、以下のようにして、動作モードを通常モードから省電力モード１に切り替える。
【００５０】
制御部１５は、表示部１２ａ、１２ｂの両方に操作用画像が表示されているか否かを判定し、両方の表示部に操作用画像が表示されている場合、いずれか一方の表示部に操作用画像の表示を集約する。操作用画像の表示を集約する方法として、例えば、制御部１５が２つの表示部１２ａ、１２ｂのそれぞれに表示される操作用画像の数を比較し、その数が少ない方の表示部から多い方の表示部に移動させる方法がある。また、どの表示部に操作用画像を制御部１５に集約させるかの優先順位を示す情報が、制御部１５内のメモリ（不図示）または記憶部１６に予め登録されていてもよい。この場合、制御部１５は、登録された優先順位にしたがって、操作用画像を集約させる表示部を決定する。
【００５１】
以下では、説明のために、複数の表示部のうち、少なくとも１つの表示部に表示された画像を他の表示部に移動させる場合、少なくとも１つの表示部を「移動元」と称し、他の表示部を「移動先」と称する。
【００５２】
操作用画像の表示を集約する際、制御部１５は、移動元および移動先のうち、少なくともいずれかの画像のレイアウトを変更することで、移動元の操作用画像のサイズを維持したまま移動先に表示させることが可能か否かを判定する。ここで言う「移動元の画像のレイアウト」とは、移動元で表示されていた操作用画像のレイアウトを意味する。移動対象の画像に情報通知画像が含まれる場合には、そのレイアウトは、操作用画像と情報通知画像のレイアウトを意味する。
【００５３】
上記の判定の結果、画像の一部でも移動先の画面からはみ出る場合、制御部１５は、操作用画像および情報通知画像のうち、少なくとも１つの画像を縮小して表示部に表示させるか、集約した画像を表示部にスクロール表示させる。
【００５４】
スクロール表示とは、表示部に表示しきれない大きさの画像に対して、その表示範囲を上下方向および左右方向のうち、少なくともいずれかの方向に変更可能にすることで、全体を表示可能にした表示方法である。スクロール表示の具体例は後述する。
【００５５】
ここで、画像を縮小して表示するか、集約した画像をスクロール表示するかの判定方法の一例を説明する。
【００５６】
ユーザが指で１つのボタンを選択するときに誤って隣接する他のボタンを選択することを防ぐための最小サイズが予め決められており、複数のボタンを縮小したときに、この最小サイズよりもボタンが小さくなってしまう場合には、複数のボタンをスクロール表示する。また、ボタンが文字または記号を含む場合、ユーザが認識可能な文字または記号の最小サイズが予め決められており、複数のボタンを縮小したときに、この最小サイズより文字または記号が小さくなってしまう場合には、複数のボタンをスクロール表示する。
【００５７】
制御部１５は、ボタンの表示を１つの表示部に集約した後、ボタンを表示しなくなった表示部に対応するタッチパネルの電源をオフするために、そのタッチパネルへの電力供給を停止するように電源制御部１４に指示する。このようにして、制御部１５は動作モードを通常モードから省電力モード１に切り替える。少なくとも１つのタッチパネルへの電力供給が停止するので、電力消費量を通常モードよりも低減することが可能となる。
【００５８】
さらに、省電力モード１で電源をオフにしたタッチパネル側の表示部（ここでは、表示部１２ａとする）が操作用画像以外の画像を表示している場合、制御部１５は、電池１７の残量が閾値ＴＨ２以下になると、次のようにして、動作モードを省電力モード１から省電力モード２に切り替える。制御部１５は、表示部１２ａが表示している画像を表示部１２ｂに表示させ、表示部１２ａへの電力供給を電源制御部１４に停止させる。その際、制御部１５は、動作モードを通常モードから省電力モード１に切り替えるときと同様に、画像が表示部１２ｂの画面からはみ出ないように、少なくとも１つの画像を縮小して表示、または集約した画像をスクロール表示させる。
【００５９】
このようにして、制御部１５は動作モードを省電力モード１から省電力モード２に切り替える。タッチパネルだけでなく、表示部への電力供給が停止するので、電力消費量を省電力モード１よりも低減することが可能となる。
【００６０】
一方、制御部１５は、電池１７の残量に限らず、ユーザの指示にしたがって動作モードを切り替えてもよい。ユーザの指示にしたがって制御部１５が動作モードを切り替える場合を、図５を参照して説明する。
【００６１】
図５は動作モードの切り替え方法の一例を説明するための図である。図５に示す「通常」は動作モードが通常モードであることを示し、「省電力１」は動作モードが省電力モード１であることを示し、「省電力２」は動作モードが省電力モード２であることを示す。
【００６２】
また、動作モードが通常モードである携帯端末１１を示す一例が図２に示した状態であるものとする。図２に示す例では、表示部１２ａがボタン３１ｃを表示しているが、表示部１２ｂがボタン３１ｃを表示してもよい。
【００６３】
図２に示した携帯端末１１において、ユーザがボタン３１ｃを選択する指示を入力すると、制御部１５は、図５に示すように、動作モードを通常モードから省電力モード１に切り替える。さらに、ユーザがボタン３１ｃを選択する指示を入力すると、制御部１５は、図５に示すように、動作モードを省電力モード１から省電力モード２に切り替える。その後、ユーザがボタン３１ｃを選択する指示を入力すると、制御部１５は、動作モードを省電力モード２から通常モードに切り替える。
【００６４】
図５に示す例では、ユーザが動作モード切り替えのためのボタン３１ｃを選択する度に、制御部１５は、動作モードを「通常モード」→「省電力モード１」→「省電力モード２」→「通常モード」→・・・に順に切り替える。
【００６５】
なお、動作モードの切り替え方法として、図５に示した方法は一例であり、他の方法であってもよい。例えば、ユーザがボタン３１ｃを選択する度に、制御部１５は、動作モードを「通常モード」→「省電力モード１」→「省電力モード２」の順に切り替えた後、「省電力モード２」→「省電力モード１」→「通常モード」の順で元に戻るように切り替えてもよい。
【００６６】
また、本実施形態では、電源制御部１４が電池１７の残量を制御部１５に通知する場合で説明したが、制御部１５が電池１７の残量を電源制御部１４を介さないで監視してもよい。
【００６７】
次に、本実施形態の携帯端末１１の動作を説明する。
【００６８】
図６は本実施形態の携帯端末の動作手順を示すフローチャートである。図７は図６に示すステップ１０３および１０７における携帯端末の処理の一例を示すフローチャートである。
【００６９】
ユーザが携帯端末１１の電源をオンした後、テレビ用アプリケーションを実行させる旨の指示を入力すると、制御部１５は、記憶部１６からテレビ用アプリケーションを読み出して実行し、通信部１９を起動する。通信部１９がテレビ画像と音声のデータを制御部１５に送信すると、制御部１５は、音声をスピーカ２０に出力させ、図２に示したように、テレビ画像３５と各種ボタンを表示部１２ａ、１２ｂに表示させる。
【００７０】
ユーザがテレビを視聴している間、制御部１５は、動作モードの切り替え指示があるか、電池１７の残量が閾値ＴＨ１まで低下したか否かを判定する（ステップ１０１）。ここでは、電池１７の残量が閾値ＴＨ１まで低下したものとする。制御部１５は、電池１７の残量が閾値ＴＨ１まで低下すると、表示部１２ａ、１２ｂの両方にボタンが表示されているか否かを判定する（ステップ１０２）。
【００７１】
図２に示したように、表示部１２ａがボタン３１ａ、３１ｃを表示し、表示部１２ｂがボタン３１ｂと、１〜１２のチャンネルボタンを表示している。ここでは、表示される操作用画像の数が少ない方の表示部から多い方の表示部に移動させることが予め制御部１５に設定されているものとする。制御部１５は、表示部１２ａ、１２ｂのそれぞれに表示されるボタンの数を比較し、その数が表示部１２ｂの方が表示部１２ａよりも多いと判断すると、表示部１２ａのボタン３１ａ、３１ｃを表示部１２ｂに移動して表示させる（ステップ１０３）。本実施形態では、制御部１５は、ボタン３１ａに関連する画像３２ａを、ボタン３１ａ、３１ｃと一緒に表示部１２ｂに移動して表示させる。
【００７２】
ステップ１０３における、制御部１５の動作を、図７を参照して説明する。
【００７３】
図７に示すフローチャートにおいて、移動元が表示部１２ａに相当し、移動先が表示部１２ｂに相当する。ここでは、画像の縮小率ｒを段階的に変更していくものとし、ｋを定数とする。初期状態ではｒ＝１とし、ｋは、例えば、０．８である。また、ボタン３１ａ、３１ｃ等の操作用画像の最小サイズをＬｍｉｎとする。
【００７４】
制御部１５は、移動元および移動先のうち、少なくともいずれかの画像のレイアウトを変更してボタン３１ａ、３１ｃおよび画像３２ａを表示部１２ｂの画面に配置した場合に（ステップ２０１）、画像が表示部１２ｂをはみ出すか否かを判定する（ステップ２０２）。ステップ２０２で、制御部１５は、移動元および移動先の両方の画像のレイアウトを変更しても、画像３２ａ、３２ｂ、ボタン３１ａ〜３１ｃおよびチャンネルボタンのうち、いずれかの画像が表示部１２ｂの画面をはみ出ると判断するとステップ２０３の処理に進む。
【００７５】
ステップ２０３において、制御部１５は、縮小率ｒにｋを乗算した値を新たな縮小率ｒとして算出する。続いて、制御部１５は、画像３２ａ、３２ｂ、ボタン３１ａ〜３１ｃおよびチャンネルボタン対して、一部または全部の画像のサイズを縮小率ｒで縮小する（ステップ２０４）。そして、制御部１５は、ボタン３１ａ〜３１ｃのうち、いずれかの画像のサイズがＬｍｉｎ以下になったか否かを判定し（ステップ２０５）、それらのボタンのサイズがＬｍｉｎより大きい場合、ステップ２０２に戻る。ボタン３１ａ〜３１ｃのうち、いずれかの画像のサイズがＬｍｉｎ以下になった場合、制御部１５は、集約対象となる、画像３２ａ、３２ｂ、ボタン３１ａ〜３１ｃおよびチャンネルボタンの画像を表示部１２ｂにスクロール表示させる（ステップ２０７）。
【００７６】
一方、ステップ２０２の判定において、画像３２ａ、３２ｂ、ボタン３１ａ〜３１ｃおよびチャンネルボタンのいずれの画像も表示部１２ｂの画面からはみ出ない場合、制御部１５は、これらの画像の一部または全部を縮小させたものを表示部１２ｂに表示させる（ステップ２０６）。
【００７７】
なお、図７に示すステップ２０５の処理において、表示方法の選択基準がボタンのサイズの場合で説明したが、選択基準となるものは、ボタンのサイズ以外のものであってもよい。
【００７８】
図６に示したステップ１０３の前後における携帯端末１１の状態を、図８を参照して説明する。図８は図６に示すステップ１０３の前後の携帯端末の状態を説明するための外観図である。
【００７９】
図８の上側には、ステップ１０３の処理を行う前の携帯端末１１の表示部１２ａ、１２ｂの画面を示し、図８の下側には、ステップ１０３の処理を行った後の携帯端末１１の表示部１２ａ、１２ｂの画面を示す。
【００８０】
図８の上側に示す携帯端末では、表示部１２ａが、ボタン３１ａ、３１ｃ、画像３２ａおよびテレビ画像３５を表示している。これに対して、図８の下側に示す携帯端末では、表示部１２ａはテレビ画像３５を表示しているが、操作用画像を表示していない。表示部１２ｂがボタン３１ａ、３１ｃと、ボタン３１ｃに関連する文字列「チャンネル」の画像３２ａを表示している。ただし、図８の上側に示す場合に比べて、各種ボタン３１ａ〜３１ｃ、画像３２ａおよびチャンネルボタンは縮小して表示されている。
【００８１】
図８の下側に示す状態では、表示部１２ａには操作用画像が表示されなくなるので、タッチパネル１３ａの電源を切ることが可能となる。そのため、図６のフローチャートに示すように、制御部１５は、電源制御部１４に対して、タッチパネル１３ａへの電力供給を停止させる（ステップ１０４）。
【００８２】
図８の下側に示す携帯端末のように、表示部１２ｂが縮小された操作用画像を集約して表示すれば、ユーザはテレビ番組のチャンネルおよび音量を変更する際、表示部１２ｂに対応するタッチパネル１３ｂを操作すればよく、タッチパネル１３ａを操作する必要がなくなる。
【００８３】
図８では、制御部１５が画像３２ａ、３２ｂ、ボタン３１ａ〜３１ｃおよびチャンネルボタンの画像を縮小して表示部１２ｂに表示させる場合で説明したが、画像の集約方法は図８に示した方法に限らない。画像の集約方法の別の例を、図７、図９Ａおよび図８Ｂを参照して説明する。
【００８４】
図９Ａは、制御部が移動元および移動先の画像のレイアウトを変え、情報通知画像を縮小した場合である。
【００８５】
図７に示したステップ２０１で、制御部１５は、移動元および移動先の画像のレイアウトを変え、ステップ２０４で、画像３２ａ、３２ｂを縮小するが、ボタン３１ａ〜３１ｃのサイズを変更しない。表示部１２ｂに画像を集約したときの画面の様子を図９Ａに示す。図９Ａに示す表示部１２ｂの画面では、図２に示した画面と比較すると、縮小した画像３２ｂがボタン３１ｂの下に移動し、これらの画像の左側のスペースに、ボタン３１ａ、３１ｃおよび画像３２ａが表示部１２ａから移動している。チャンネルボタンはレイアウトもサイズも図２に示した画面と同じである。図９Ａに示す例では、２つの情報通知画像を縮小しているが、縮小する画像は１つであってもよい。
【００８６】
図９Ｂは、制御部が移動元および移動先の画像のレイアウトを変え、操作用画像の一部を縮小した場合である。
【００８７】
図７に示したステップ２０１で、制御部１５は、移動元および移動先の画像のレイアウトを変え、ステップ２０４で、ボタン３１ａ〜３１ｃを縮小するが、画像３２ａ、３２ｂのサイズを変更しない。表示部１２ｂに画像を集約したときの画面の様子を図９Ｂに示す。図９Ｂに示す表示部１２ｂの画面では、図２に示した画面と比較すると、縮小したボタン３１ｂの下に画像３２ｂが移動し、これらの画像の左側のスペースに、ボタン３１ａ、３１ｃおよび画像３２ａが表示部１２ａから移動している。チャンネルボタンはレイアウトもサイズも図２に示した画面と同じである。図９Ｂに示す例では、ここでは、３種類の操作用画像を縮小しているが、縮小する画像は１種類であってもよい。
【００８８】
図９Ａおよび図９Ｂに示した例では、移動元および移動先の両方の画像が縮小されているが、縮小対象の画像は移動元および移動先のうち、いずれか一方の画像であってもよい。
【００８９】
図６に示したフローチャートの説明に戻ると、ステップ１０４の後、制御部１５は、表示部１２ａが他の画像を表示しているか否かを判定する（ステップ１０５）。表示部１２ａが他の画像を表示していない場合、制御部１５は、ステップ１０８に進む。ここでは、図８に示したように、表示部１２ａがテレビ画像３５を表示しているので、制御部１５は、ステップ１０６に進む。
【００９０】
ユーザが引き続きテレビを視聴している間、制御部１５は、動作モードの切り替え指示があるか、電池１７の残量が閾値ＴＨ２まで低下したか否かを判定する（ステップ１０６）。ここでは、電池１７の残量が閾値ＴＨ２まで低下したものとする。制御部１５は、電池１７の残量が閾値ＴＨ２まで低下すると、表示部１２ａに表示されるテレビ画像３５を表示部１２ｂに移動して表示させる（ステップ１０７）。その際、制御部１５は、ステップ１０３のときと同様に、図７に示したフローチャートの処理を実行する。ここでは、制御部１５は、図７に示すステップ２０７において、複数のボタンを表示部１２ｂにスクロール表示させる処理を行ったものとする。
【００９１】
図６に示したステップ１０７の前後における携帯端末１１の状態を、図１０を参照して説明する。
【００９２】
図１０は図６に示すステップ１０７の前後の携帯端末の状態を説明するための外観図である。図１０の上側には、ステップ１０７の処理を行う前の携帯端末１１の表示部１２ａ、１２ｂの画面を示し、図１０の下側には、ステップ１０７の処理を行った後の携帯端末１１の表示部１２ａ、１２ｂの画面を示す。
【００９３】
図１０の上側の携帯端末では、表示部１２ａがテレビ画像３５を表示している。これに対して、図１０の下側の携帯端末では、表示部１２ａは何も表示していない。表示部１２ｂがテレビ画像３５を表示している。ただし、表示部１２ｂは、各種ボタン３１ａ〜３１ｃとチャンネルボタンをそのまま表示せず、これらのボタンをスクロール表示するためのスクロール画像３７の一部を表示している。また、図１０の下側に示す携帯端末の表示部１２ｂは、スクロール画像３７の表示範囲を変更するための操作用画像の一例であるスクロールバー３１ｄを表示している。
【００９４】
スクロールバー３１ｄは、ノブ３８の画像およびノブ３８の可動範囲３９の画像を含む構成である。ユーザが指でスクロールバー３１ｄのノブ３８を選択し、指をタッチパネル１３ｂの表面をスライドさせてノブ３８を可動範囲３９で上下方向に移動させる操作を行うことで、スクロール画像３７の表示範囲を変えることができる。ユーザがスクロール画像３７の表示範囲を変える操作を行ったときの制御部１５の動作については後述する。
【００９５】
図１０の下側に示す状態では、表示部１２ａにはテレビ画像３５も表示されなくなるので、表示部１２ａの電源を切ることが可能となる。そのため、図６のフローチャートに示すように、制御部１５は、電源制御部１４に対して、表示部１２ａへの電力供給を停止させる（ステップ１０８）。
【００９６】
ここで、スクロール表示の具体例として、図１０の下側に示したスクロール画像３７の場合で説明する。
【００９７】
図１１は図１０に示したスクロール画像３７の全体を示す図である。図１１に示すスクロール画像は、１〜１２のチャンネルボタンと、ボタン３１ａ〜３１ｃと、ボタン３１ａに関連する文字列「チャンネル」の画像３２ａと、ボタン３１ｂに関連する文字列「ボリューム」の画像３２ｂとを含む。図１１に示す破線枠は表示部１２ｂに表示される領域を示している。
【００９８】
図７のステップ２０７において、制御部１５は、図１１に示すスクロール画像を作成して記憶部１６に格納し、スクロール画像３７の上端から図１１に示す破線枠に含まれる画像を表示部１２ｂに表示させる。このときの状態が図１０の下側に示した携帯端末となる。
【００９９】
この状態から、ユーザが指でスクロールバー３１ｄのノブ３８を選択し、指をタッチパネル１３ｂの表面をスライドさせてノブ３８を可動範囲３９で移動させる操作を行う。制御部１５は、タッチパネル１３ｂから受信する座標の情報に基づいてノブ３８の画像を移動させる。それと共に制御部１５は、ノブ３８の移動方向および移動距離に対応して図１１に示す破線枠を移動させ、破線枠に含まれる画像を表示部１２ｂに表示させる。その際、制御部１５は、ノブ３８が可動範囲３９の下端に達すると、破線枠の下端がスクロール画像３７の下端に達するように破線枠を移動させる。
【０１００】
図１０の下側に示す携帯端末のように、表示部１２ｂが操作用画像を集約してスクロール表示すれば、ユーザはテレビ番組のチャンネルおよび音量を変更する際、ボタン３１ａ、３１ｂのサイズが図２に示した画面の場合と同じなので、操作しやすいという利点がある。スクロール画像は、情報通知画像を含んでいなくてもよい。
【０１０１】
なお、図６のフローチャートでは、ステップ１０１、１０６の処理で判定が「ノー」の場合にそれぞれの判定の処理に戻るように示しているが、これらの場合に、制御部１５は、携帯端末１１の電源がオフされたか否かの判定を行ってもよく、その判定を行った場合の説明を省略する。
【０１０２】
また、図８〜１０に示す例では、ボタン３１ａに関連する画像３２ａも表示部１２ａから表示部１２ｂに移動させる場合で説明したが、移動させる画像に情報通知画像が含まれていなくてもよい。例えば、ピクトグラムのような操作用画像では、ユーザが操作用画像を見て、その操作用画像の機能を認識できる場合があり、このような場合、その操作用画像に関連する情報通知画像の表示を省略できる。
【０１０３】
本実施形態によれば、携帯端末は、複数のタッチパネルのうち、少なくとも１つのタッチパネルに対応する表示部に表示されている操作用画像を他の表示部に表示させ、そのタッチパネルへの電力供給を停止する。これにより、少なくとも１つのタッチパネルの電力消費量分を低減することが可能となる。
【０１０４】
また、本実施形態の携帯端末は、電力供給を停止されたタッチパネルに対応する表示部に表示された操作用画像を他の表示部に表示させる際、他の表示部に表示されていた操作用画像のレイアウトを変更する。そして、これらの操作用画像が画面からはみ出さないように、少なくとも１つの画像を縮小して表示させる、または、集約した画像をスクロール表示させる。これにより、ユーザは、他の表示部に集約して表示される操作用画像を操作することが可能となる。
【０１０５】
また、本実施形態の携帯端末は、電力供給が停止されたタッチパネルに対応する表示部に他の画像が表示されている場合、この他の画像を他の表示部に移動して表示させ、他の画像の移動元の表示部への電力供給を停止することも可能である。この場合、タッチパネルの電力消費量だけでなく、表示部の電力消費量分も低減することが可能となる。このようにして、携帯端末の電力消費量を低減することで、電池の寿命を向上させることができる。
【０１０６】
さらに、本実施形態では、画像を表示させる表示部のバックライトの輝度を下げる制御を行っていないので、画面の見易さに影響を及ぼすことがなく、電源をオンのままにする表示部側に表示させる操作用画像を予めユーザが設定する必要がないので、ユーザの利便性を損なうことがない。
【０１０７】
なお、本実施形態では、動作モードを通常モードから省電力モードに切り替える際の判定の基準として、ユーザからの動作モード切り替えの指示または電池の残量の場合で説明したが、制御部１５に実行させるアプリケーションの種類で判定してもよい。
【０１０８】
対象になるアプリケーションは、ユーザが操作する部分とユーザが見るだけの部分が明確に分けることが可能なアプリケーションである。そのようなアプリケーションとして、例えば、音楽再生、映画再生、テレビ視聴、および電子ブックなどがある。
【０１０９】
アプリケーションがテレビ視聴である場合、上述の実施形態では、テレビ画像３５を表示する表示部１２ａにボタン３１ａ、３１ｃを表示させていたが、テレビ用アプリケーションの起動の指示が入力されると、制御部１５は、起動時の段階で、省電力モード１を実行すればよい。この場合、電池の残量が閾値ＴＨ１まで低下してなく、ユーザがモード切り替えの指示を入力しなくても、タッチパネル１３ａの電源がオフされるので、電力消費量を低減できる。
【０１１０】
上述の実施形態では、表示部および表示部の組み合わせの数が２つの場合で説明したが、表示部および表示部の組み合わせの数が３つ以上であってもよい。
【０１１１】
例えば、３つの表示部と３つの操作部とを有する携帯端末において、通常モードから電力消費量を低減するモードに切り替わる際、１つの表示部に表示される操作用画像の表示とその検出を残りの２つの表示部と操作部とに分けて引き継いでもよく、２つの表示部に表示される操作用画像の表示とその検出を残りの１つの表示部と操作部とに引き継いでもよい。
【０１１２】
また、４つの表示部と４つの操作部とを有する携帯端末において、通常モードから電力消費量を低減するモードに切り替わる際、１つの表示部に表示される操作用画像の表示とその検出を残りの３つの表示部と操作部とに分けて引き継いでもよく、２つの表示部に表示される操作用画像とその検出を残りの２つの表示部と操作部とに引き継いでもよい。
【０１１３】
ここで、表示部および操作部の組み合わせの数が３つの場合の携帯端末の具体例を説明する。図１２は表示部および操作部の組み合わせの数が３つの場合の携帯端末の一例を示す外観斜視図である。
【０１１４】
図１２に示す携帯端末は、表示部１２ｃ〜１２ｅと、表示部１２ｃ〜１２ｅに対応するタッチパネル１３ｃ〜１３ｅとを有する。図１２に示す携帯端末は、図３に示した携帯端末と、表示部およびタッチパネルの組み合わせの数が異なるだけで、同様な構成であるため、図３に示した構成について、その詳細な説明を省略する。
【０１１５】
図１２に示す例では、表示部１２ｃが操作用画像の一例としてボタン３１ｅ、３１ｆを表示し、表示部１２ｄが情報通知画像の一例として画像３２ｄを表示している。表示部１２ｅは、操作用画像の一例としてボタン３１ｇ、３１ｈを表示している。
【０１１６】
なお、図１２は表示部１２ｃ〜１２ｅが表示する画像の一例を示すものであり、各表示部は、操作用画像および情報通知画像のうち、いずれか一方の種類の画像を表示してもよく、両方の種類の画像を表示してもよい。また、各表示部が表示する画像の数も図１２に示す例に限らない。
【０１１７】
図１３Ａおよび図１３Ｂは、図１２に示した携帯端末の動作を説明するための外観斜視図である。ここでは、省電力モード１が第１のランクおよび第２のランクの２つのランクに分かれているものとする。第１のランクを省電力モード１／２とし、第２のランクを省電力モード２／２とする。
【０１１８】
制御部１５は、動作モードが通常モードから省電力モード１／２になると、図１３Ａに示すように、表示部１２ｃに表示されていたボタン３１ｅ、３１ｆのうち、ボタン３１ｅを表示部１２ｄに移動し、ボタン３１ｆを表示部１２ｅに移動する。そして、制御部１５は、電源制御部１４にタッチパネル１３ｃへの電力供給を停止させる。
【０１１９】
続いて、制御部１５は、動作モードが省電力モード１／２から省電力モード２／２になると、図１３Ｂに示すように、表示部１２ｄに表示されていたボタン３１ｅを表示部１２ｅに移動する。そして、制御部１５は、電源制御部１４にタッチパネル１３ｄへの電力供給を停止させる。
【０１２０】
このように電力制御を行えば、複数のタッチパネルが消費する電力を２段階で低減することが可能となる。なお、制御部１５は、動作モード切り替えの際、図１２に示した通常モードの状態から、図１３Ａに示す状態を経由しないで、図１３Ｂに示す状態へ直接に変更してもよい。また、制御部１５は、動作モードを通常モードから省電力モード１／２に切り替える際、表示部１２ｃが画像を表示していなければ、電源制御部１４に表示部１２ｃへの電力供給を停止させてもよい。
【０１２１】
上述の実施形態では、本発明の電子機器が携帯端末の場合で説明したが、複数の表示部と、複数の表示部に対応する複数の操作部とが接続されたデスクトップ型ＰＣに、本発明の電力制御方法を実行させてもよい。この場合、外部電源から供給される電力の消費量を低減できる。
【符号の説明】
【０１２２】
１    電子機器
１１    携帯端末
２−１〜２−ｎ、１２ａ、１２ｂ    表示部
３−１〜３−ｎ    操作部
１３ａ、１３ｂ    タッチパネル
４、１４    電源制御部
５、１５    制御部
１６    記憶部
１７    電池
【図１】
2014021534.tif 000003
【図２】
2014021534.tif 000004
【図３】
2014021534.tif 000005
【図４】
2014021534.tif 000006
【図５】
2014021534.tif 000007
【図６】
2014021534.tif 000008
【図７】
2014021534.tif 000009
【図８】
2014021534.tif 000010
【図９Ａ】
2014021534.tif 000011
【図９Ｂ】
2014021534.tif 000012
【図１０】
2014021534.tif 000013
【図１１】
2014021534.tif 000014
【図１２】
2014021534.tif 000015
【図１３Ａ】
2014021534.tif 000016
【図１３Ｂ】
2014021534.tif 000017